(57)【要約】【課題】本発明は、バースト波として到来し、かつ占有帯域が毎回同じとは限らない受信波を復調する受信装置に関し、構成が大幅に複雑化することなく、到来し得る受信波の多様な占有帯域幅および変調方式に柔軟に適応し、復調が安定に精度よく行われることを目的とする。【解決手段】占有帯域が既知の複数通りの帯域の何れかであるバースト波の復調を行う受信装置であって、前記複数通りの帯域の内、最も広い特定の帯域、または前記特定の帯域を含む帯域において前記バースト波の特徴に基づいて前記バースト波の占有帯域を識別する占有帯域識別手段と、前記復調の対象となるバースト波に、前記占有帯域識別手段によって識別された占有帯域を含む通過域による帯域制限を施す濾波手段とを備える。【選択図】図１
2012015746.tif 000002
【特許請求の範囲】
【請求項１】
占有帯域が既知の複数通りの帯域の何れかであるバースト波の復調を行う受信装置であって、
前記複数通りの帯域の内、最も広い特定の帯域、または前記特定の帯域を含む帯域において前記バースト波の特徴に基づいて前記バースト波の占有帯域を識別する占有帯域識別手段と、
前記復調の対象となるバースト波に、前記占有帯域識別手段によって識別された占有帯域を含む通過域による帯域制限を施す濾波手段と
を備えたことを特徴とする受信装置。
【請求項２】
請求項１に記載の受信装置において、
前記バースト波は、
フレーム同期の基準となる語が配置された第一のフィールドと、前記第一のフィールドに後続して伝送情報が配置された第二のフィールドとを含むフレームで変調され、
前記特徴は、
前記語に基づく前記フレームとのフレーム同期の確立であり、
前記濾波手段は、
時間軸上における前記第二のフィールド以前の時点で、前記通過域による帯域制限を行う
ことを特徴とする受信装置。
【請求項３】
請求項１に記載の受信装置において、
前記特徴は、
前記バースト波、または前記バースト波の復調によって得られる信号のレベルと、前記信号の先頭部と既知の信号との相関性と、前記レベルの偏差との全てまたは一部である
ことを特徴とする受信装置。
【請求項４】
請求項１ないし請求項３の何れか１項に記載の受信装置において、
前記濾波手段は、
非再帰型の濾波処理として前記帯域制限を行う
ことを特徴とする受信装置。
【発明の詳細な説明】
【技術分野】
【０００１】
本発明は、バースト波として到来し、かつ占有帯域が毎回同じとは限らない受信波を復調する受信装置に関する。
【背景技術】
【０００２】
近年，業務用無線機には、従来のアナログのFM 変調方式に併せて、例えば、米国のAPCO−P25(Association of
Public-Safety Communications Officials International Project 25) によって規格化されている４値周波数変調(C4FM:Constant Envelope 4-Level Frequency Modulation) 方式に適応可能なものがある。
【０００３】
また、このような業務用無線機には、広範な地域における業務用の通信の安定かつ安価な達成を目的として、以下の点が要求されている。
(1) インフラのコストを削減可能な大ゾーン方式への適用を可能とする高い送信電力および受信感度
(2) 低廉化、小型化および軽量化に併せて、このような送信電力の効率的な確保をＣ級増幅により可能とする変調方式（例えば、既述の「４値周波数変調方式」）の適用
【０００４】
(3) 従来のアナログ方式の業務用無線機だけではなく、ディジタル方式の業務用無線機との間における通信の実現
(4) 多様な分野における業務用移動通信に供される周波数帯への柔軟な適応
【０００５】
図５は、アナログ方式とディジタル方式との双方に適応可能な業務用無線機の受信部の構成例を示す図である。
図において、アンテナ４０の給電点はバンドパスフィルタ（ＢＰＦ）４１Ｗ、４１Ｎの入力にそれぞれ接続され、これらのバンドパスフィルタ４１Ｗ、４１Ｎの出力は、スイッチ４２のブレーク接点とメーク接点とにそれぞれ接続される。このスイッチ４２の共通接点は復調器４３の入力に接続され、その復調器４３の出力には復調信号が出力される。
【０００６】
このような構成の受信機では、バンドパスフィルタ４１Ｗの通過域の幅は、アンテナ４０に到来する受信波がとり得る広い占有帯域幅（例えば、４．２ＫＨｚ）を含んだ帯域（以下、「広帯域」という。）に設定される。また、バンドパスフィルタ４１Ｎの通過域の幅は、アンテナ４０に到来する受信波がとり得る狭い占有帯域幅（例えば、２．４ＫＨｚ）を含む帯域（以下、「狭帯域」という。）に設定される。
【０００７】
一方、スイッチ４２の共通接点は、アンテナ４０に到来する受信波を待機している期間には、既述のブレーク接点に接続される。すなわち、アンテナ４２に到来した受信波は、その受信波の占有帯域が広狭の如何にかかわらず、バンドパスフィルタ４１Ｗおよびスイッチ４２を介して復調器４３に入力される。復調器４３は、このようにして入力される受信波を取り込み、その受信波に適用され得る変調方式（例えば、アナログ方式のＦＭ変調、ディジタル方式のＣ４ＦＭ変調の２通り）のそれぞれに適応した復調処理を行うことによって、既述の復調信号を出力する。
【０００８】
さらに、スイッチ４２の共通接点は、操作者が指定する上記受信波の占有帯域幅の広狭に応じて、手動で適宜切り替えられる。したがって、受信波の占有帯域幅が狭い場合には、その受信波は既述の狭帯域に制限された後に復調器４３によって復調処理が施される。
【０００９】
すなわち、アンテナ４０に到来した受信波は、占有帯域幅に適した帯域制限の下で復調器４３によって復調される。
【００１０】
なお、本発明に関連する先行技術としては、以下に列記する特許文献１〜３がある。
(1) 「占有帯域幅の異なる残留側波振幅変調波を受信する受信装置であって、前記残留側波振幅変調波をチューナで中間周波信号に変換し、この信号を２分岐して第１及び第２のバンドパスフィルタを介して各々第１、第２の検波器に供給し、前記第１の検波器を構成する発振器から出力される前記中間周波信号に同期した発振信号を可変移相器を介して前記第２の検波器、π／２移相器を介して第３の検波器に供給し、前記第１の検波器にて得られる周波数制御信号を前記チューナに帰還し、前記第２の検波器から出力される検波信号振幅が所定振幅を越えている間に前記第２のバンドパスフィルタを通過した信号を抜取回路で抜き取り、前記抜取回路からの出力を前記第３の検波器に供給してその検波出力を所定値と比較し、この比較結果により前記可変移相器の移相量を変化させ、一方前記第２の検波器の出力信号を復調して得た同期信号で前記第２の検波器の出力信号の振幅を間欠的に検出して利得制御信号を発生し、この利得制御信号をスイッチを介して前記チューナに供給する」ことにより、「占有帯域幅の異なるＨＤＴＶ放送とＮＴＳＣ放送のどちらも受信できる」点に特徴がある放送受信装置…特許文献１
【００１１】
(2) 「入力信号を所定の中間周波数に変換し、帯域フィルタを通して検波し、信号電力を検出する信号電力検出回路において、周波数変換器と外部からの制御信号により局部発振周波数を変更する局部発振器とにより入力信号を所定の中間周波数に変換する手段と、帯域の異なる複数の帯域フィルタと、外部からの制御信号により前記各帯域フィルタを切替えるための切替回路と、複数の入力信号の入力周波数と占有帯域幅に基づいて前記局部発振器と切替回路へ周波数選択信号及び帯域フィルタ選択信号を送出する論理部とを有し、前記検波を行う検波器は、入力電力が高いほど電圧変化量に対する電流変化量の割合の逆数、即ち等価抵抗が小さくなるダイオードと、このダイオードを通して充電されるコンデンサとを含んで構成され、前記論理部は複数の入力信号を検出するための周波数選択信号と、複数の帯域フィルタの中から入力信号の占有帯域幅よりは狭いが帯域フィルタの中で最も広い帯域を有する帯域フィルタを選択する選択信号を同時に送出し、信号の占有帯域幅に対して帯域フィルタを切り替えて前記検波器に高い信号電力を供給する」ことによって、「一定時間以内に信号電力を検出できる」点に特徴がある信号電力検出回路…特許文献２
【００１２】
(3) 「フロントエンド回路、シンセサイザ回路、ミクサ回路、ＩＦフィルタ、マッチング回路、検波回路で構成される受信機において、上記ＩＦフィルタを１つのみ備え、受信信号の占有帯域幅に対応して該ＩＦフィルタに接続されたマッチング回路のインピーダンスを切り替えることによりＩＦフィルタの通過帯域を切り替える」ことによって、「複数のＩＦフィルタを用いることなく、１つのＩＦフィルタのみで、ワイドバンドとナローバンドの両仕様に対応できる」点に特徴がある受信機…特許文献３
【先行技術文献】
【特許文献】
【００１３】
【特許文献１】特開平６−１８９２２０号公報
【特許文献２】特公平７−１０４３７９号公報
【特許文献３】特開平１１−５５１４１号公報
【発明の概要】
【発明が解決しようとする課題】
【００１４】
ところで、上述した従来例では、スイッチ４２の誤操作等に起因して、占有帯域幅が狭いにもかかわらず受信波が広帯域のバンドパスフィルタ４１Ｗによって帯域制限された後に復調された場合には、復調信号には占有帯域外に分布する雑音が重畳され、受信機の感度が実質的に低下する。
【００１５】
また、占有帯域幅が広い受信波がバンドパスフィルタ４１Ｎによって狭帯域に帯域制限された場合には、占有帯域を過剰に制限することに起因する歪みが重畳され、信号判定等に誤りが生じる可能性がある。
【００１６】
さらに、従来例では、受信波の占有帯域の広狭の判定が所定のハードウェアやソフトウェアによって自動的に行われ、その判定の結果に応じてスイッチ４２の共通接点の切り替えが速やかに行われても、復調器４３に入力される受信波の瞬時値（の列）には、バンドパスフィルタ４１Ｗ、４１Ｎに固有の伝搬遅延時間の相違に起因して、跳躍、欠落および無用な雑音の重畳が生じ、しかも、このような伝搬遅延時間が温度等の環境条件に応じて変化し得るために、復調や信号判定は必ずしも精度よく安定には実現できなかった。
【００１７】
本発明は、構成が大幅に複雑化することなく、到来し得る受信波の多様な占有帯域幅および変調方式に柔軟に適応し、かつ復調が安定に精度よく行われる受信装置を提供することを目的とする。
【課題を解決するための手段】
【００１８】
請求項１に記載の発明では、占有帯域が既知の複数通りの帯域の何れかであるバースト波の復調を行う受信装置において、占有帯域識別手段は、前記複数通りの帯域の内、最も広い特定の帯域、または前記特定の帯域を含む帯域において前記バースト波の特徴に基づいて前記バースト波の占有帯域を識別する。濾波手段は、前記復調の対象となるバースト波に、前記占有帯域識別手段によって識別された占有帯域を含む通過域による帯域制限を施す。
すなわち、バースト波は、復調に先行して、そのバースト波の特徴に基づいて識別された占有帯域を含む通過域で帯域制限される。
【００１９】
請求項２に記載の発明では、請求項１に記載の受信装置において、前記バースト波は、フレーム同期の基準となる語が配置された第一のフィールドと、前記第一のフィールドに後続して伝送情報が配置された第二のフィールドとを含むフレームで変調される。前記特徴は、前記語に基づく前記フレームとのフレーム同期の確立である。前記濾波手段は、時間軸上における前記第二のフィールド以前の時点で、前記通過域による帯域制限を行う。
すなわち、バースト波の占有帯域は、そのバースト波に変調されたフレームとのフレーム同期の下で識別され、このフレームの内、上記第二のフィールド以降の復調に先行して行われる帯域制限に供される通過域に反映される。
【００２０】
請求項３に記載の発明では、請求項１に記載の受信装置において、前記特徴は、前記バースト波、または前記バースト波の復調によって得られる信号のレベルと、前記信号の先頭部と既知の信号との相関性と、前記レベルの偏差との全てまたは一部である。
すなわち、バースト波の占有帯域は、適用された変調方式がディジタル変調方式とアナログ変調方式との何れであっても識別され、上記特徴の識別に供された部位に後続する残部の復調に先行して行われる帯域制限に供される通過域に反映される。
【００２１】
請求項４に記載の発明では、請求項１ないし請求項３の何れか１項に記載の受信装置において、前記濾波手段は、非再帰型の濾波処理として前記帯域制限を行う。
すなわち、占有帯域識別手段によって識別された占有帯域は、上記濾波手段が再帰（リカーシブ）形のフィルタとして構成される場合に比べて速やかに、「復調に先行して行われる帯域制限」に供される通過域に反映される。
【発明の効果】
【００２２】
本発明によれば、バースト波の成分の内、既述の特徴の識別に供された部位に後続する残部は、そのバースト波の占有帯域内の成分に無用な抑圧、あるいは雑音の重畳を伴うことなく、復調される。
また、本発明では、バースト波に含まれる伝送情報は、そのバースト波の占有帯域の成分に無用な抑圧、あるいは雑音の重畳を伴うことなく行われる復調の下で復元される。
さらに、本発明では、このような復調がバースト波の変調方式と占有帯域との双方に適した帯域制限の下で行われるため、伝送品質の無用な劣化の回避が図られる。
また、本発明では、濾波手段の応答性の不足に起因する伝送品質の低下が確度高く安定に回避される。
したがって、本発明が適用された伝送系や通信系では、変調方式および占有帯域（幅）が多様に異なり、かつ到来する（受信される）時点の予測が困難なバースト波を精度よく安定に復調することが可能となる。
【図面の簡単な説明】
【００２３】
【図１】本発明の一実施形態を示す図である。
【図２】本実施形態における制御部の動作フローチャートである。
【図３】本実施形態の動作を説明する図である。
【図４】本実施形態における各バンドパスフィルタの通過域を示す図である。
【図５】アナログ方式とディジタル方式との双方に適応可能な業務用無線機の受信部の構成例を示す図である。
【発明を実施するための形態】
【００２４】
以下、図面に基づいて本発明の実施形態について詳細に説明する。
図１は、本発明の一実施形態を示す図である。
図において、図４に示すものと機能および構成が同じものについては、同じ符号を付与し、ここでは、その説明を省略する。
【００２５】
本実施形態と図４に示す従来例との構成の相違点は、以下の点にある。
(1) バンドパスフィルタ４１Ｗ、４１Ｎに代えて１つのバンドパスフィルタ（ＢＰＦ）１０が備えられ、かつスイッチ４２が備えられない。
(2) 上記バンドパスフィルタ１０の出力がトランスバーサルフィルタ２０を介して復調器４３の入力に接続される。
(3) このトランスバーサルフィルタ２０の制御端子には制御部３０の対応する出力ポートが接続され、その制御部３０の入力ポートには復調器４３の出力が接続される。
【００２６】
トランスバーサルフィルタ２０は、以下の要素から構成される。
(1) バンドパスフィルタ１０の出力に接続された遅延回路２１
(2) 遅延回路２１が有するｎ個のタップにそれぞれ縦続接続された第一の入力と、制御部３０の対応する出力ポートにそれぞれ接続された第二の入力とを個別に有する乗算器２２-1〜２２-n
(3) これらの乗算器２２-1〜２２-nの出力にそれぞれ接続された第１ないし第ｎの入力を有し、かつ出力が復調器４３の入力に接続された加算器２３
【００２７】
図２は、本実施形態における制御部の動作フローチャートである。
図３は、本実施形態の動作を説明する図である。
以下、図１および図２を参照して本実施形態の動作を説明する。
【００２８】
バンドパスフィルタ１０の通過域は、アンテナ４０に到来し得る受信波の占有帯域の全て（図４(a)，(b)) を包含する帯域（図４(c))、あるいはこれらの受信波の占有帯域の内、最も広い占有帯域幅（図４(a))を包含する帯域（図４(c))に設定される。
【００２９】
制御部３０は、復調器４３によって復調信号が出力されていない（アンテナ４０に受信波が到来していない）期間には、乗算器２２-1〜２２-nに係数Ｋ１〜Ｋｎをそれぞれ与える。なお、このような係数Ｋ１〜Ｋｎは、アンテナ４０に到来し得る受信波が有する最も広い占有帯域（後述する「広帯域」に等しい。）（図４(c))に、バンドパスフィルタ１０およびトランスバーサルフィルタ２０の総合的な通過域が決定される値に予め設定される。
【００３０】
トランスバーサルフィルタ２０は、アンテナ４０に到来し、かつバンドパスフィルタ１０によって帯域制限された受信波に、これらの係数Ｋ１〜Ｋｎで定まる濾波特性により帯域制限を施す。
復調器４３は、このような帯域制限の下で入力される受信波を復調することにより、ベースバンド信号（復調信号）を生成する。
【００３１】
制御部３０は、以下の前提の下で上記ベースバンド信号を参照することにより後述する処理を行う。
(1) アンテナ４０に到来する受信波には、アナログ変調方式とディジタル変調方式との何れかが適用される。
【００３２】
(2) アナログ変調方式で変調された受信波（以下、「アナログ受信波」という。）の占有帯域は、広帯域（２５ＫＨｚ）と狭帯域（１２．５ＫＨｚ）との何れにも該当し得る。
(3) ディジタル変調方式で変調された受信波（以下、「ディジタル受信波」という。）の占有帯域は、狭帯域（１２．５ＫＨｚ）のみである。なお、このような「ディジタル変調方式」については、以下では、例えば、既述の４値周波数変調（Ｃ４ＦＭ）方式であると仮定する。
【００３３】
(4) ディジタル受信波は、図３の上部に示すように、以下のフィールド(4-a)，(4-b)，(4-c)からなるフレームで変調される。以下、このようなフレームの形式を「フレームフォーマット」という。
(4-a) フレーム同期の基準となる特定のビット列（以下、「フレーム同期ワード」という。）が配置される「ＦＳ」フィールド
(4-b) ４ビット長のデータユニットＩＤ、１２ビット長のネットワークアクセスコードを含む種々の制御情報が配置される「制御情報」フィールド
(4-c) 符号化された音声等の伝送情報が配置される「データ」フィールド
【００３４】
(5) アナログ受信波の占有帯域は、以下(5-a)，(5-b)，(5-c)の一部（１つのみでもよい。）または全ての組み合わせとして予め設定された「占有帯域判定基準」に基づいて判別可能である。
(5-a)復調信号の先頭部（またはその近傍）に含まれる既知の信号のレベル（の偏差）（占有帯域が規定の帯域幅より広い（または狭いため）に生じる実効的な変調度の変化に起因する。）
(5-b)上記先頭部（またはその近傍）に既知の信号（例えば、ＤＴＭＦ信号等のトーン信号）が含まれるか否か
(5-c)該当するアナログ受信波、もしくは上記先頭部（またはその近傍）における「レベル」あるいは「包絡線」の偏差や分布
【００３５】
また、制御部３０の主記憶の特定の記憶領域には、遅延回路２１（トランスバーサルフィルタ２０）の各タップに設定され得る以下の３通りの係数が予め格納された係数テーブル３０Ｔが予め配置される。
(1) 既述の係数Ｋ１〜Ｋｎ
(2) 受信波が広帯域（図４(a))のアナログ受信波であるときに適用されるべき係数Ｋ１′〜Ｋｎ′
(3) 受信波がディジタル受信波と、狭帯域（図４(b))のアナログ受信波との何れかであるときに適用されるべき係数ｋ１〜ｋｎ
【００３６】
〔制御部３０によって行われる処理の手順〕
(1) ベースバンド信号の先頭部と既述の「フレーム同期ワード」との相関がとれるか否かを判定する（図２ステップＳ１，図３(1)）。
(2) このような相関がとれた場合には、『該当する受信波が「ディジタル受信波」であり、その「ディジタル受信波」の占有帯域が「狭帯域」である』と識別する（図２ステップＳ２，図３(2)）。
【００３７】
(3) 反対に、上記相関がとれなかった場合には、該当する受信波が「アナログ受信波」であると識別し（図２ステップＳ３）、その受信波の占有帯域幅を既述の「占有帯域判定基準」に基づいて識別する（図２ステップＳ４）。
(4) このようにして識別された占有帯域幅が「広帯域」である場合には、乗算器２２-1〜２２-nに、上記係数テーブル３０Ｔに格納されている係数Ｋ１′〜Ｋｎ′をそれぞれ与える（図２ステップＳ５）。
【００３８】
(5) 反対、識別された占有帯域が「狭帯域」である場合には、乗算器２２-1〜２２-nに、上記係数テーブル３０Ｔに格納されている係数ｋ１〜ｋｎをそれぞれ与える（図２ステップＳ６）。なお、このようにして乗算器２２-1〜２２-nに係数k１〜knがそれぞれ与えられるきっかけは、該当する受信波がディジタル受信波である場合には、図３(3) に示すように、少なくとも「データ」フィールドに先行する時点である。
(6) ベースバンド信号（復調信号）のレベル等を監視することにより、アンテナ４０に到来している受信波が途絶えたことを識別する時点まで待機した（図２ステップＳ７）後、乗算器２２-1〜２２-nに、上記係数テーブル３０Ｔに格納されている既述の係数Ｋ１〜Ｋｎをそれぞれ与える（図２ステップＳ８）。なお、このようにして乗算器２２-1〜２２-nに係数Ｋ１〜Ｋnがそれぞれ与えられるきっかけは、該当する受信波がディジタル受信波である場合には、図３(4) に示す時点以降である。
【００３９】
すなわち、復調器４３に入力される受信波は、アンテナ４０に到来する時刻および期間と、適用された変調方式と占有帯域幅との何れの予測が困難である場合であっても、その受信波の先頭部（またはその近傍）に基づいて占有帯域幅が自動的に識別され、少なくもと、その先頭部（またはその近傍）に後続する残部については、この占有帯域幅に適した係数Ｋ１′〜Ｋｎ′（またはｋ１〜ｋｎ）に基づいて帯域制限を行うトランスバーサルフィルタ２０を介して与えられる。
【００４０】
または、このようなトランスバーサルフィルタ２０は、ＩＩＲ（リカーシブ型の）フィルタではないため、係数が（Ｋ１〜Ｋｎ）から（Ｋ１′〜Ｋｎ′）または（ｋ１〜ｋｎ）に切り替えられた時点と、再び（Ｋ１〜Ｋｎ）に設定された時点との何れの以降においても、通過域が速やかに切り替えられる。
【００４１】
このように本実施形態によれば、復調器４３が行う復調や信号判定の対象となる受信波は、少なくとも、その受信波から復元されるべき主要な伝送情報を含む既述の残部については、本来的な占有帯域に適した通過域で帯域制限される。
【００４２】
また、本実施形態では、既述の通りに係数が切り替えられるが、応答性が高いトランスバーサルフィルタ２１の共用によって上記受信波の占有帯域幅に適した帯域制限が行われるため、「通過域だけではなく伝搬遅延が異なる複数のフィルタの切り替えにより同様の帯域制限が行われる従来例」に比べて、以下の好ましくない現象の回避が図られる。
(1) 復調処理および信号判定に過渡的ではあっても誤差や擾乱が無用に生じること
(2) 占有帯域に適合しない帯域制限の下で復調や信号処理が行われ（続け）ることに起因する「受信感度」、「復調出力のレベル」等の好ましくない増減
【００４３】
なお、発明は、既述のＡＰＣＯ−Ｐ２５によって規格化されている４値周波数変調（Ｃ４ＦＭ）方式に限定されず、例えば、ＥＴＳＩ(European Telecommunications
Standards Institute)によって策定されたDigital Mobile
Radio、あるいはＦＬＥＸ方式その他の高度無線呼出システムに適合する受信波にも、同様に適用可能である。
【００４４】
また、既述の「占有帯域判定基準」は、バースト状に到来する受信波の残部にかかわる復調や信号判定が「適切な帯域制限」の下で行われるならば、如何なるものであってもよい。
【００４５】
さらに、本実施形態では、ディジタル受信波の占有帯域は、既述の狭帯域のみの１つでなくてもよく、そのディジタル受信波の残部にかかわる復調や信号判定が行われるべき「適切な帯域制限」の設定や切り替えが可能であるならば、如何なるものであってもよい。
【００４６】
また、本実施形態では、アナログ受信波の占有帯域幅は狭帯域と広帯域との何れにも該当し得るが、ディジタル受信波の占有帯域幅は狭帯域の１通りのみとなっている。
しかし、本発明は、アンテナ４０に到来し得るアナログ受信波とディジタル受信波との双方または何れか一方の占有帯域が３通りである場合であっても、既述の占有帯域判定基準やフレームフォーマットに基づく占有帯域（幅）の識別が可能であるならば、同様に適用可能である。
【００４７】
さらに、本実施形態では、トランスバーサルフィルタ２１は、制御部３０によって直接与えられる係数に基づいて濾波特性（通過域）が可変されるフィルタとして構成されているが、以下の条件の全てまたは一部を満たすフィルタとして構成されてもよい。
【００４８】
(1) 適用され得る全ての係数の組み合わせが予め格納されたテーブルを内蔵し、かつ制御部３０によって指示される受信波の占有帯域（幅）に基づいてこのテーブルを参照することによって通過域を切り替える。
(2) 所望の通過域および濾波特性（切り替えに応じた応答性や即応性を含む。）が得られるならば、ＩＩＲ（リカーシブな）フィルタとして構成されてもよく、また、ＦＩＲフィルタとして構成される場合であっても段数は不問である。
【００４９】
また、本発明は、上述した実施形態に限定されず、本発明の範囲において多様な実施形態の構成が可能であり、構成要素の全てまたは一部に如何なる改良が施されてもよい。
【符号の説明】
【００５０】
１０，４１Ｎ，４１Ｗ  バンドパスフィルタ（ＢＰＦ）
２０  トランスバーサルフィルタ
２１  遅延回路
２２  乗算器
２３  加算器
３０  制御部
３０Ｔ  テーブル
４０  アンテナ
４２  スイッチ
４３  復調器
【図１】
2012015746.tif 000003
【図２】
2012015746.tif 000004
【図３】
2012015746.tif 000005
【図４】
2012015746.tif 000006
【図５】
2012015746.tif 000007